(57)【特許請求の範囲】
【請求項１】
空気の吸込口と吹出口を有する本体と、この吸込口と吹出口を連通する風路内に、空気を加湿するための加湿フィルタと、前記加湿フィルタを配置するための貯水トレイと、前記加湿フィルタに水を供給するための水供給手段と、前記加湿フィルタに空気を送る送風手段とを備えた加湿装置であって、前記加湿フィルタが保水性の編地からなり、前記編地は吸水繊維と非吸水繊維の糸を束ねて構成され、前記加湿フィルタを前記貯水トレイに配置した時に、前記編地のウェール方向を前記加湿フィルタの高さ方向と略一致させることを特徴とする加湿装置。
【請求項２】
空気の吸込口と吹出口を有する本体と、この吸込口と吹出口を連通する風路内に、空気を加湿するための加湿フィルタと、前記加湿フィルタを配置するための貯水トレイと、前記加湿フィルタに水を供給するための水供給手段と、空気を浄化するための空気浄化フィルタと、前記加湿フィルタおよび前記空気浄化フィルタに空気を送る送風手段とを備えた加湿機能付空気清浄装置であって、前記加湿フィルタが保水性の編地からなり、前記編地は吸水繊維と非吸水繊維の糸を束ねて構成され、前記加湿フィルタを前記貯水トレイに配置した時に、前記編地のウェール方向を前記加湿フィルタの高さ方向と略一致させることを特徴とする加湿機能付空気清浄装置。
【発明の詳細な説明】
【技術分野】
【０００１】
本発明は、乾燥した室内空気を加湿する加湿装置および加湿機能付空気清浄装置に関するものである。
【背景技術】
【０００２】
従来、この種の加湿装置には、径３〜１５μｍの繊維を２０〜８０質量％含有する吸水性シートを成形して加湿フィルタとするものが知られている（たとえば、特許文献１参照）。
【０００３】
以下、その加湿フィルタについて図７を参照しながら説明する。
【０００４】
図７に示すように、加湿フィルタ１０１は吸水性シートとしての不織布１０２からなり、コルゲート構造を構成単位とし、水が充填された貯水部１０３から自然吸水する。前記不織布１０２が、径３〜１５μｍの繊維を２０〜８０質量％含有し、少なくとも一部が熱溶着していることにより、加湿性能に優れ、耐久性を有する加湿フィルタ１０１を得ることができる。
【０００５】
また、この種の加湿装置には、１．１ｄｔｅｘ以下の極細繊維を含んでなる布帛を加湿フィルタとするものが知られている（たとえば、特許文献２参照）。
【０００６】
以下、その加湿フィルタについて図８を参照しながら説明する。
【０００７】
図８に示すように、加湿装置は、プラスチック製の四角形をなす枠体２０１で構成され、貯水部２０２はプラスチック製容器であり、この容器内に水２０３が充填されている。この反対側に設けられた加湿部には、１．１ｄｔｅｘ以下の極細繊維を含んでなる布帛が加湿フィルタ２０４として固定されている。この枠体２０１の上部には、加湿フィルタ２０４と同幅の隙間が設けられており、この隙間から加湿フィルタ２０４を構成する布帛の一部を貯水部２０２に垂らし込んで、水に浸漬させることで、貯水部２０２の水が加湿フィルタ２０４を通して加湿部に運ばれ、そこで空気中に自然蒸散されて、雰囲気を加湿する。
【先行技術文献】
【特許文献】
【０００８】
【特許文献１】特開２００５−１５６００６号公報
【特許文献２】特開２００６−９０６７３号公報
【発明の概要】
【発明が解決しようとする課題】
【０００９】
このような従来の加湿装置においては、加湿フィルタは不織布を吸水性シートとしたコルゲート構造体であるために、伸縮性がなく、汚れが付着した際に構造を変化させて洗浄することができず、不織布を構成する繊維間に入り込んだ汚れを十分に落としきることができないため、長期間にわたって安定的に加湿性能を得ることが難しいという課題を有していた。また、不織布を構成する繊維は無秩序に存在し、吸水の方向を制御することが難しく、高い吸水性が得られにくいという課題を有していた。
【００１０】
また、別の加湿装置においては、加湿フィルタが編地で構成されているが、加湿装置に組み込んだときの設置方向が定められていないため、編地方向による吸水性向上の効果を得ることができず、高い吸水性が得られにくいという課題を有していた。また、加湿フィルタが極細繊維を含む場合、その極細繊維の弾性が小さいため、形状安定性を得ることが難しく、高い吸水性と形状安定性を両立するためには、極細繊維以外の繊維を混合する必要があり、必ずしも極細繊維１００重量％と同程度の高い加湿性能を得ることはできないという課題を有していた。また、自然蒸散による加湿を期待しており、その加湿性能が雰囲気の温湿度に大きく左右されるが、加湿性能を増すために強制的に空気と接触させた場合には、圧力損失が高く、装置としての消費電力が増えたり騒音が発生したりするという課題を有していた。
【００１１】
そこで本発明は、上記従来の課題を解決するものであり、長期間にわたって高い吸水性を維持し、安定的に高い加湿性能が得られる加湿装置または加湿機能付空気清浄装置を提供することを目的とする。また、加湿装置の低消費電力化・低騒音化を実現することを目的とする。
【課題を解決するための手段】
【００１２】
そして、この目的を達成するために、本発明は、空気の吸込口と吹出口を有する本体と、この吸込口と吹出口を連通する風路内に、空気を加湿するための加湿フィルタと、前記加湿フィルタを配置するための貯水トレイと、前記加湿フィルタに水を供給するための水供給手段と、前記加湿フィルタに空気を送る送風手段とを備えた加湿装置であって、前記加湿フィルタが保水性の編地からなり、前記編地は吸水繊維と非吸水繊維の糸を束ねて構成され、前記加湿フィルタを前記貯水トレイに配置した時に、前記編地のウェール方向を前記加湿フィルタの高さ方向と略一致させることを特徴とする加湿装置であり、これにより所期の目的を達成するものである。
【００１３】
また、空気の吸込口と吹出口を有する本体と、この吸込口と吹出口を連通する風路内に、空気を加湿するための加湿フィルタと、前記加湿フィルタを配置するための貯水トレイと、前記加湿フィルタに水を供給するための水供給手段と、空気を浄化するための空気浄化フィルタと、前記加湿フィルタおよび前記空気浄化フィルタに空気を送る送風手段とを備えた加湿機能付空気清浄装置であって、前記加湿フィルタが保水性の編地からなり、前記編地は吸水繊維と非吸水繊維の糸を束ねて構成され、前記加湿フィルタを前記貯水トレイに配置した時に、前記編地のウェール方向を前記加湿フィルタの高さ方向と略一致させることを特徴とする加湿機能付空気清浄装置であり、これにより所期の目的を達成するものである。
【発明の効果】
【００１４】
本発明によれば、加湿フィルタの吸水しやすい方向と高さ方向が一致し、貯水トレイから加湿フィルタ上に十分な水量が吸上げられる。また、加湿フィルタの受風部分に十分な水量が保たれるために、高い加湿性能を得ることができる。また、加湿フィルタにおける空気流路を確保することにより、加湿装置および加湿機能付空気清浄装置の低消費電力化・低騒音化を実現することができる。
【図面の簡単な説明】
【００１５】
【図１】本発明の実施の形態１の加湿装置を示す概略断面図
【図２】本発明の実施の形態２の加湿フィルタを示す概略図
【図３】本発明の実施の形態３の繊維表面の概略断面図
【図４】本発明の実施の形態４の繊維の概略断面図
【図５】本発明の実施の形態５の加湿フィルタを示す概略斜視図
【図６】本発明の実施例の編地の設置方法による吸水量の違いを示すグラフ
【図７】従来の加湿フィルタを示す概略斜視図
【図８】従来の加湿装置を示す概略断面図
【発明を実施するための形態】
【００１６】
本発明の請求項１記載の加湿装置は、空気の吸込口と吹出口を有する本体と、この吸込口と吹出口を連通する風路内に、空気を加湿するための加湿フィルタと、前記加湿フィルタを配置するための貯水トレイと、前記加湿フィルタに水を供給するための水供給手段と、前記加湿フィルタに空気を送る送風手段とを備えた加湿装置であって、前記加湿フィルタが保水性の編地からなり、前記編地は吸水繊維と非吸水繊維の糸を束ねて構成され、前記加湿フィルタを前記貯水トレイに配置した時に、前記編地のウェール方向を前記加湿フィルタの高さ方向と略一致させることを特徴とする。これにより、加湿フィルタの吸水しやすい方向と高さ方向が一致し、貯水トレイから加湿フィルタ上に十分な水量が吸上げられる。また、加湿フィルタの受風部分に十分な水量が保たれるために、高い加湿性能を得ることができる。また、加湿フィルタにおける空気流路を確保することにより、加湿装置の低消費電力化・低騒音化を実現することができる。
【００１７】
また、請求項２記載の加湿装置付き空気清浄装置は、空気の吸込口と吹出口を有する本体と、この吸込口と吹出口を連通する風路内に、空気を加湿するための加湿フィルタと、前記加湿フィルタを配置するための貯水トレイと、前記加湿フィルタに水を供給するための水供給手段と、空気を浄化するための空気浄化フィルタと、前記加湿フィルタおよび前記空気浄化フィルタに空気を送る送風手段とを備えた加湿機能付空気清浄装置であって、前記加湿フィルタが保水性の編地からなり、前記編地は吸水繊維と非吸水繊維の糸を束ねて構成され、前記加湿フィルタを前記貯水トレイに配置した時に、前記編地のウェール方向を前記加湿フィルタの高さ方向と略一致させることを特徴とするものであっても良い。これにより、空気浄化のみならず、空気への湿度付与も同時に行うことができ、より高い空質を得ることができる。
【００１８】
以下、本発明の実施の形態について図面を参照しながら説明する。
【００１９】
（実施の形態１）
図１に示すように、加湿装置は、空気の吸込口１１と吹出口１２を有する本体１３と、この吸込口１１と吹出口１２を連通する風路１４内に、空気を加湿するための加湿フィルタ１５と、加湿フィルタ１５を配置するための貯水トレイ１６と、加湿フィルタ１５に水を供給するための水供給手段としてのタンク（図示しない）と、加湿フィルタ１５に空気を送る送風手段としてのファン１７とを備えた加湿装置であり、加湿フィルタ１５が保水性の編地からなり、加湿フィルタ１５を貯水トレイ１６に配置した時に、編地のウェール方向が加湿フィルタ１５の高さ方向と略一致していることを特徴とする。加湿フィルタ１５は、編地を構成する糸の一部に吸水化材としてのシリカゲルを担持したものである。
【００２０】
上記構成により、加湿フィルタ１５の吸水しやすい方向と高さ方向が一致し、貯水トレイ１６から加湿フィルタ１５上に十分な水量が吸上げられる。ウェール方向は、糸が蛇行せず、直線的に吸水することができるので、吸水高さを高く維持でき、加湿フィルタ１５の保水量を高めることができる。さらに、ウェール方向はコース方向よりも糸同士が接する部分が多く、糸間の毛管現象による吸水量を増すことができ、加湿フィルタ１５は高い保水量を得ることができる。さらに、加湿フィルタ１５の受風部分に十分な水量が保たれるために、高い加湿性能を得ることができる。また、加湿フィルタ１５における空気流路を確保することにより、圧力損失が減少するので、加湿装置の低消費電力化・低騒音化を実現することができる。
【００２１】
また、加湿フィルタ１５の高さ方向における吸水速度が２５ｍｍ／１０ｍｉｎ以上であれば、加湿に必要な水量をすばやく加湿フィルタ１５に供給することができ、高い加湿性能を得ることができる。加湿フィルタ１５の高さ方向における吸水速度は、吸水性評価方法である「バイレック法」を用いて測定することができる。バイレック法とは、鉛直につるした試験片の下端を巣中に浸し、一定時間放置後の水の上昇高さを吸水速度で示すものである。たとえば、１０分間で吸水高さが２５ｍｍに到達しない場合は、吸水速度が不十分であり、吸水と放湿のバランスが重要な加湿フィルタ１５としては不適である。
【００２２】
また、糸を構成する繊維が非吸水性繊維であっても良い。これにより、水に汚れが含まれていた場合に、繊維が水と汚れを一緒に吸上げ、繊維に汚れが付着した際にも、繊維そのものが吸水しないので、汚れは繊維の表面に付着し、内部まで汚れが染み込まないため、押し洗いや擦り洗いなどの物理的な接触によって容易に汚れを除去することができ、加湿フィルタ１５を清潔に保つことができる。同時に、長期間にわたって安定的に高い加湿性能を維持することができる。
【００２３】
また、糸を構成する繊維の少なくとも一部に、吸水化材としてのシリカゲルを担持したことにより、繊維間の毛管現象が起きやすくなるために、加湿フィルタ１５全体の保水量を向上することができ、より高い加湿性能を得ることができる。さらに、繊維表面に保持された水と、空気との接触面積も増えるために、高い加湿性能を得ることができる。
【００２４】
ここで、編地の保水性とは、編地が水を保持する能力を指す。編地の吸水性とは、編地が水を吸水する能力であり、水を吸上げる速度が高く、編地の質量あたりの吸水する水量が高い場合に吸水性が高いことを示す。また、編地の親水性とは、編地の表面が水になじむ性質を指し、表面の接触角の低いものは親水性が高いことを表す。
【００２５】
吸水化材は、編地、糸または繊維に担持させることで編地、糸または繊維の吸水性を向上するものを指し、吸水速度を高めるものを指す。吸水化材としては、シリカゲルやゼオライトなどの無機化合物、コットンリンタなどの糸片などが挙げられる。また、親水化材は、編地、糸または繊維に担持させることで編地の親水性を向上するものを指し、編地、糸または繊維の接触角を下げるものを指す。親水化材としては、ポリエチレングリコールなどの高分子が挙げられる。吸水化材または親水化材を担持する方法としては、これらの粒子を、バインダを用いて基材表面に接着すれば良い。バインダの種類はとくに指定するものではなく、担持する粒子、基材表面性質、および使用環境などを考慮して適したものを選択すれば良い。また、吸水性塗料または親水性塗料を塗布したり、繊維に吸水性素材や親水性素材を練りこんだりするなどしても良い。
【００２６】
また、図１の点線部で示す空気浄化フィルタ１８として、集塵フィルタおよび／または脱臭フィルタを設置しても良い。これにより、空気浄化のみならず、空気への湿度付与も同時に行うことができ、より高い空質を得ることができる。集塵フィルタおよび／または脱臭フィルタの設置位置は、空気清浄の効果が得られればどこでも良く、場所を特定するものではないが、図１のように配置すれば、加湿フィルタ１５通過前に空気中の汚れを除去することができるため、加湿フィルタ１５や送風手段としてのファン１７などを清潔に保つことができる。
【００２７】
（実施の形態２）
図２において、図１と同様の構成要素については同一の符号を付し、その詳細な説明は省略する。
【００２８】
図２には、３本以上の繊維からなる糸の例として、５本の繊維２１を束ねた糸２２を用いて作成した編地２３の概略図を示す。編地２３を形成する編目には、５本の繊維２１を束ねた糸２２が編みこまれており、編地２３を構成する糸２２は、長繊維のポリエチレンと長繊維のアクリルを束ねたものである。図２におけるＡをウェール方向、Ｂをコース方向とする。ここでいうウェール方向は縦方向の編目列であり、コース方向は横方向の編目列で、ＪＩＳＬ０２０２で規定される。
【００２９】
このように、３本以上の繊維２１を束ねた糸２２から加湿フィルタ１５を構成することにより、繊維２１間の毛管現象による吸水量が増すために、高い加湿性能を得ることができる。また、糸２２が繊維２１の束で構成されているため、一部の繊維２１が破断された場合においても、他の繊維２１で糸２２の形状を保つことができ、耐久性の高い加湿フィルタ１５が実現できる。３本以上の繊維２１を束ねた糸２２としては、たとえば、１６７Ｔ／４８ｆや３３０Ｔ／１０ｆのような長繊維マルチフィラメント、３３Ｔ／１ｆのような長繊維モノフィラメントを１０本以上ひきそろえたもの、１．５ｄの短繊維を１０本以上よりあわせたものなどを用いることができる。
【００３０】
また、編地２３を構成する糸２２の少なくとも一部が吸水性繊維と非吸水性繊維を束ねることにより、吸水性繊維が吸水し、非吸水性繊維が気化を促進させるため、吸水と気化を両立し、高い加湿性能を得ることができる。
【００３１】
吸水性の繊維２１としては、公定水分率が０．４％以上の繊維を用いることもできる。たとえば合成繊維ではポリエステル、アクリル、ナイロン、ビニロン、レーヨン、ポリノジック、キュプラ、アセテート、トリアセテート、プロミックスなどが挙げられる。天然繊維としては、絹、毛、綿、麻などが挙げられる。
【００３２】
たとえば、５本の繊維２１を束ねた糸２２の場合、３本を吸水性繊維としての公定水分率２．０％のアクリルとし、２本を非吸水性繊維としての公定水分率０％のポリエチレンとすればよい。
【００３３】
また、編地２３を構成する糸２２が合成樹脂を含むことにより、高い耐久性を有する加湿フィルタ１５を得ることができる。合成樹脂を含む糸２２としては、たとえば、ポリエステル、アクリル、ナイロン、ビニロン、レーヨン、ポリノジック、キュプラ、アセテート、トリアセテート、プロミックスなどを用いることができる。複数の合成繊維が混在していても良い。
【００３４】
また、編地２３の引張強度が１０Ｎ以上であれば、加湿フィルタ１５に衝撃が加わった際の糸２２の破断を防止し、加湿フィルタ１５の耐久性を向上することができる。編地２３の引張強度は、引張強度試験である「Ａ法（ラベルドストリップ法）」を用いて測定することができる。試験片のサイズは、長さ方向３０ｃｍ、幅方向５ｃｍとし、引張試験機で試験片に両側から引張り作用の力を加え、試験片が切断されたときの力をウェール方向、コース方向それぞれ３回計測し、その平均値を「引張強さ」として求める。たとえば、繊維２１として、ナイロン、ポリエステル、パラ系アラミド繊維、ＰＢＯ繊維、炭素繊維を用いれば、十分な強度を得ることができ、使用中、洗浄時などの様々な状況で高い耐久性を得ることができる。
【００３５】
また、編地を構成する繊維２１の表面が平滑であってもよい。これにより、糸２２同士が擦れ絡まりあうことによる編地２３の縮みを防止し、加湿フィルタ１５の形状を安定的に保つことができる。また、繊維２１が平滑であるために、加湿フィルタ１５に汚れが付着しても容易に除去することができ、加湿フィルタ１５を清潔に保つことができる。同時に、長期間にわたって安定的に高い加湿性能を維持することができる。
【００３６】
表面が平滑な繊維２１は、ポリエステルやナイロンなどの合成樹脂で容易に製造することができるが、たとえば羊毛のように繊維が水を含むとスケールが反り返ってしまう繊維でも防縮加工をし、繊維表面を平滑にすることで用いることができる。防縮加工としては、塩素処理によりスケール除去する方法や、樹脂で繊維の表面を皮膜する方法などが挙げられる。
【００３７】
また、編地２３を構成する糸２２は柔軟であっても良い。これにより、押し曲げに強い加湿フィルタ１５を得ることができる。また、衝撃による繊維２１の破断を防止することができ、加湿フィルタ１５の形状を安定的に保つことができる。また、加湿フィルタ１５の形状を自由に加工することができる。ここで、柔軟とは弾性のあることを指し、常温での弾性限界が大きく、糸２２を折り曲げたり、伸ばしたりしたときに、負荷を除去すると元の形に戻ることである。たとえば、糸２２を９０°に折り曲げたときに、元の形状に戻る糸は柔軟である。
【００３８】
また、編地２３を構成する糸が長繊維からなるものであっても良い。これにより、一部の糸２２が破断された場合においても、編地２３全体としては形状を安定して保つことができるために、耐久性の高い加湿フィルタ１５が実現できる。
【００３９】
（実施の形態３）
図３において、図１および図２と同様の構成要素については同一の符号を付し、その詳細な説明は省略する。
【００４０】
図３には、糸２２を構成する繊維２１の表面状態の一例を示す。図３はレーザー光を斜め方向から当てることによって繊維２１の表面をアブレーションした繊維２１の断面図を示したものである。
【００４１】
上記構成のように、糸２２を構成する繊維２１表面に凹凸があることによって、糸２２の表面積が増えるために、吸水においては水と糸２２の接触面積を増大することができ、加湿フィルタ１５全体の保水量を向上することができる。さらに、糸２２表面に保持された水と、空気との接触面積も増えるために、高い加湿性能を得ることができる。
【００４２】
繊維表面の凹凸の加工としては、紫外線レーザー照射やスパッタエッチング処理によって、繊維をアブレーションもしくはエッチングする方法がある。また、繊維表面にシリカゲルや樹脂などの粒子を担持してもよい。
【００４３】
（実施の形態４）
図４において、図１、図２および図３と同様の構成要素については同一の符号を付し、その詳細な説明は省略する。
【００４４】
図４に、糸２２を構成する繊維２１を異形化したものの断面の例を示す。（ａ）は十字状、（ｂ）は三角形、（ｃ）は波状である。
【００４５】
このような異形断面糸は、合成繊維を製造する時には、ノズルの形状を変えることで様々な断面形状の繊維２１を作ることができる。また、既成の繊維２１に溝を設けることで異形化することもできる。
【００４６】
異形断面糸を使うことにより、糸２２を構成する繊維２１の表面積が増えるために、吸水においては水と糸の接触面積を増大することができ、加湿フィルタ１５全体の保水量を向上することができる。さらに、糸２２表面に保持された水と、空気との接触面積も増えるために、高い加湿性能を得ることができる。また、異形断面糸自体がスペーサーとして働き、異形断面糸同士に適度な間隔を設けるため、繊維２１間の毛管現象が促進され、より多くの吸水が可能となる。
【００４７】
糸２２を構成する繊維２１の形状は、吸水性の向上が得られればどの形状でも良く、形状を特定するものではない。
【００４８】
（実施の形態５）
図５において、図１、図２、図３および図４と同様の構成要素については同一の符号を付し、その詳細な説明は省略する。
【００４９】
図５には、表地５１と裏地５２に開口５３を有するダブルラッセル編地を基材とした加湿フィルタ１５の一例を示す。この加湿フィルタ１５は、吸水性を有する糸２２からなり、開口５３は六角形状となっている。ダブルラッセル編地とは、表地５１と裏地５２、およびこの表地５１と裏地５２とを繋ぐ糸２２で構成されている編地２３を指す。図５におけるＡがウェール方向、Ｂがコース方向である。
【００５０】
上記構成により、加湿フィルタ１５の吸水しやすい方向と高さ方向が一致し、貯水トレイ１６から加湿フィルタ１５上に十分な水量が吸上げられる。ウェール方向はコース方向よりも糸同士が接する部分が多く、糸間の毛管現象による吸水量を増すことができ、加湿フィルタ１５は高い保水量を得ることができる。さらに、加湿フィルタ１５の受風部分に十分な水量が保たれるために、高い加湿性能を得ることができる。また、開口５３のような空気流路を確保することにより、圧力損失が減少するので、加湿装置の低消費電力化・低騒音化を実現することができる。
【００５１】
表地５１および／または裏地５２の開口の形状は、空気の流路を確保できれば、どの形状でも良く、形状を特定するものではない。
【実施例】
【００５２】
編み方の異なる２種類のサンプル編地について、吸水量を比較した。サンプルは、全て３３０／１０ｄｔｅｘのポリエステル繊維を１０本に束ねた糸からなり、（Ａ）平編、（Ｂ）表地および裏地に最長対角線５ｍｍの開口を有するダブルラッセル編地とした。（Ｂ）の表地および裏地を合わせた厚みは８ｍｍとした。
【００５３】
サンプルを４０ｍｍ×２００ｍｍにカットしたものを試験片とし、事前にそれぞれの試験片の重量を測定した。ウェール方向とコース方向の吸水量を比較するため、各サンプルについてウェール方向およびコース方向を長手方向にした試験片を２片ずつ作成した。試験片の長手方向の上部を固定し、垂直に垂れた編地の下部２０ｍｍが水に浸るよう水槽を配置した。１０分経過後、試験片を水槽から取り出し、試験片の重量を測定することにより、１０分間の吸水量を算出した。
【００５４】
その結果を図６に示す。縦軸には、単位試験片重量あたりの吸水量を示す。その結果、編地のウェール方向と吸水の高さ方向と一致した時に、コース方向と吸水の高さ方向が一致した時に比べ吸水量が増える傾向が見られた。これは、吸水しやすい方向と高さ方向が一致したからであると考えられる。
【産業上の利用可能性】
【００５５】
本発明にかかる加湿装置は、加湿フィルタの吸水しやすい方向と高さ方向が一致し、貯水トレイから加湿フィルタ上に十分な水量が吸上げられる。また、加湿フィルタの受風部分に十分な水量が保たれるために、高い加湿性能を得ることができる。これにより、家庭用・業務用加湿装置、加湿機能付空気清浄装置、空気調和装置、冷風扇などに有用である。
【符号の説明】
【００５６】
１１    吸込口
１２    吹出口
１３    本体
１４    風路
１５    加湿フィルタ
１６    貯水トレイ
１７    ファン
１８    空気浄化フィルタ
２１    繊維
２２    糸
２３    編地
５１    表地
５２    裏地
５３    開口
１０１  加湿フィルタ
１０２  不織布
１０３  貯水部
２０１  枠体
２０２  貯水部
２０３  水
２０４  加湿フィルタ
【図１】
0005493888.tif 000002
【図２】
0005493888.tif 000003
【図３】
0005493888.tif 000004
【図４】
0005493888.tif 000005
【図５】
0005493888.tif 000006
【図６】
0005493888.tif 000007
【図７】
0005493888.tif 000008
【図８】
0005493888.tif 000009